(57)【要約】【課題】構造が簡単、製造コストが低廉である仕切り付き紙製弁当箱を提供する。【解決手段】仕切り付き紙製弁当箱１００は、箱体１０と仕切り構造２０を備える。箱体１０は、箱底１１、箱壁１２、収納空間１３、箱蓋１４を有し、箱底１１及び箱壁１２の所定の位置に二つの中空の欠け口１５を形成し、欠け口１５の周縁に多数の受け継ぎ部を有する。仕切り構造２０は二つの仕切りリブ２１および連接部２２を有し、仕切りリブ２１は頂面２１１、縦面２１２および支持部２１３を有する。仕切り構造２０は折り曲げることによって立体となり、縦面２１２を受け継ぎ部に、支持部２１３を欠け口１５に、連接部２２を箱底１１上に接着する。箱体１０に仕切り構造２０を貼り合わせるだけで簡単に収納空間１３を仕切ることができる。【選択図】　図５
0003097316.tif 000002
【実用新案登録請求の範囲】
【請求項１】
収納空間を有する箱体と、
少なくとも二つの仕切りリブがあるように一体成型されるものであって二つの仕切りリブが箱体に貼付けされ、箱体の収納空間を仕切りリブにより若干の区間に区分けする仕切り構造と、
を備えることを特徴とする仕切り付き紙製弁当箱。
【請求項２】
仕切り構造は二つの仕切りリブの間を連接する連接部を少なくとも一つ有し、連接部が箱体上に貼付けされることを特徴とする請求項１記載の仕切り付き紙製弁当箱。
【請求項３】
各仕切りリブは頂面と、頂面の向い合う側に連接される二つの縦面及び縦面の縁部及び頂面の端部に連接される多数の支持部を有し、各支持部が箱体上に貼付けされることを特徴とする請求項１記載の仕切り付き紙製弁当箱。
【請求項４】
各支持部は箱体上に平らに貼付けされることを特徴とする請求項３記載の仕切り付き紙製弁当箱。
【請求項５】
箱体は多数の受け継ぎ部を有し、各支持部が裏へ折り曲げられ受け継ぎ部上に貼付けされることを特徴とする請求項３記載の仕切り付き紙製弁当箱。
【請求項６】
箱体上には少なくとも二つの欠け口を有し、各受け継ぎ部が各仕切りリブと貼り合わさるように各欠け口の周縁上に形成されることを特徴とする請求項５記載の仕切り付き紙製弁当箱。
【請求項７】
更に箱体上に貼付けされ、且つ仕切りリブと縦横方向になるように接続される副仕切りリブを備えること特徴とする請求項１記載の仕切り付き紙製弁当箱。
【考案の詳細な説明】
【０００１】
【考案の属する技術分野】
本考案は紙製弁当箱に関するものであり、特に仕切り付き紙製弁当箱を指す。
【０００２】
【従来の技術】
一般周知の紙製弁当箱は、弁当箱を仕切り多種類の食べ物を混ぜずに盛り合わせるために、図１に示すように箱体１内に多数の独立の仕切りリブ２を配置することによって空間を区分けする効果を達成する。しかし、各仕切りリブ２は一つずつ箱体１に貼付ける必要があるため、人の手か機械により接着作業を進めるとしても、多段階接着作業のプロセスの増加や重複を免れないため、生産能力が向上せず、人の手か機械による製造上コストを増加させる。又、各仕切りリブが防水効果を持たないと、食べ物の水分が各仕切りリブ２中に浸透し、各区分リブ２の軟化が発生するため、各仕切りリブ２は紙板のみにて製造されるのでなく、紙板３及び紙板３の頂、底面上の塗布或は積層方式により隔離層４を配置することによって構成されるものであり、隔離層４はポリエチレン（ＰＥ）或はポリプロピレン（ＰＰ）等の防水材から形成される。隔離層４は水の浸入を防ぐ効果を持つが、仕切りリブ２は裁断したり折ったりする作業を通らないと所定の形状にならなく、且つ仕切りリブ２の裁断された周縁の断面より紙板３が直接露出し（図２に示す）外界に接触するため、仕切りリブ２は箱体１に貼り付けられた後、外に露出する紙板３が食べ物の水分ｗの浸入により軟化するとともに、使用者に不便を感じさせる。
【０００３】
【考案が解決しようとする課題】
しかしながら、本考案の目的は、構造が簡単、製造コストが低廉である仕切り付き紙製弁当箱を提供することにある。
本考案のもう一つの目的は、防水効果が優れる仕切り付き紙製弁当箱を提供することにある。
【０００４】
【課題を解決するための手段】
上述目的を達成するために、本考案による仕切り付き弁当箱は、収納空間を有する箱体と、少なくとも二つの仕切りリブがあるように一体成型され、二つの仕切りリブが箱体に貼付けされ、箱体の収納空間を仕切りリブにより若干の区間に区分けする仕切り構造と、を備えるものである。
【０００５】
【考案の実施の形態】
以下、本考案の実施例を図面に基づいて説明する。
本考案の第一実施例による仕切り付き弁当箱１００は、下記通り含めるものであり、箱体１０（注：箱体１０は従来周知の構造であるため、説明を概略する）は、アメリカ食品薬物管理局（ＦＤＡ）の規定に従う繊維１００パーセントにより、或は塗布、積層方式でほかの添加剤（例えばポリエチレン（ＰＥ）或はポリプロピレン（ＰＰ）等）を加えることにより形成された防水紙板を、適当な設計により裁断し所定の様態折れ目の通りに押し付け、そして折れ目を合わせ折って高温で押して接着することによって形成されるものである。
【０００６】
図３に示すように、箱体１０は固定接着されたら、矩形板状を呈する箱底１１、箱底１１の四辺周縁に直立する四つの箱壁１２、箱底１１及び箱壁１２から構成される上向きの収納空間１３及びその一つの箱壁１２自由端に連接する箱蓋１４が形成され、箱蓋１４の面積が収納空間１３の面積より大きく、箱蓋１４を折り畳むことによって収納空間１３を封じ、且つ箱底１１及び箱壁１２の所定の位置に二つの中空の欠け口１５を有し、各欠け口１５の周縁に外に向かう多数の受け継ぎ部１６を有する。
【０００７】
図４に示すように、仕切り構造２０は、アメリカ食品薬物管理局（ＦＤＡ）の規定に従う繊維１００パーセントにより、或は塗布、積層方式でほかの添加剤（例えばポリエチレン（ＰＥ）或はポリプロピレン（ＰＰ）等）を加えることにより形成された防水紙板を、適当な設計により裁断し所定の様態折れ目の通りに押し付けることによって一体成型されるものである。
【０００８】
仕切り構造２０は二つの仕切りリブ２１及び連接部２２を備えるものであり、各仕切りリブ２１は頂面２１１と、頂面２１１の向い合う側に連接される二つの縦面２１２及びそれぞれ各縦面２１２の外側縁部及び端部上に連接される支持部２１３を有し、各連接部２２は内側縦面２１２の自由側の縁部上に連接されるため、仕切り構造２０は折れ目を合わせ折り曲げることによって立体様態を形成し、二つの仕切りリブ２１の支持部２１３により二つの欠け口１５の周縁外に接着する、即ち二つの欠け口１５周縁外の箱底１１及び箱壁１２上に平らに接着し、各受け継ぎ部１６によりそれぞれ各縦面２１２の内側上に接着する（図６及び図７に示す）ことによって、二つの仕切り２１は二つの欠け口１５を封じ、且つ連接部２２が二つの欠け口１５の間の箱底１１上に接着することによって、仕切り構造２０は箱体１０と貼り合わさるように一体成型され、箱体１０内の収納空間１３が仕切りリブ２１により多数の独立の間隔区域に区分けされ、異なる食べ物を盛り合わせることが可能であり、図５に示す通りである。
【０００９】
また、本実施例による仕切り構造２０は、箱体１０及び仕切り構造２０の押し付け及び接着の作業では、一回だけで多数の仕切りリブ２１を形成し収納空間１３を若干の間隔区域に区分けする効果を果たし、従来周知の構造のように一つずつ仕切りリブを貼り付けする手間及びコストを省くことができる。
【００１０】
図８に示すように、本考案の第二実施例による仕切り付き紙製弁当箱２００は上述実施例による主な構造とほぼ同じ、箱体１０と仕切り構造２０を備えるものであるが、その違いは、仕切り構造２０における縦面２１２と連接する支持部２１３が予め裏へ折り曲げられ縦面２１２の内側後に接着された後、箱体１０の受け継ぎ部１６と接着されることによって、仕切り構造２０の周辺の切断面が内部の中に納まり、弁当箱に食べ物を盛る時に、仕切り構造２０が紙板ａの外層の防水隔離層ｂにより水分ｗに対し制止の作用を発揮し（図８に示す）、紙板ａが水分ｗの浸入により軟化することを避け、使用寿命を増加させるということである。
【００１１】
又特に説明すべきなのは、本実施例による仕切り構造は一体成型の方式で形成されるものであるため、必要に応え二つ以上の仕切りリブを形成することが可能であるし、仕切り構造外側の全ての支持部を予め裏へ折り曲げて縦面上に接着した後、箱体の受け継ぎ部と接着することが可能であるため、仕切り構造の外側縁部が裏に折り曲げられ内部に納まることによって防水効果を増加させることである。
【００１２】
図９に示すように、本考案の第三実施例による仕切り付き紙製弁当箱３００は上述実施例による主な構造と同じに箱体１０及び仕切り構造２０を備えるものであるが、その違いは、仕切り付き紙製弁当箱３００が更に箱体１０上に貼付けされ、且つ仕切りリブ２０と縦横方向になるように接続される副仕切りリブ３０を備えることによって、箱体１０内の仕切りを多様化させるとともに弁当箱３００の便利性を向上させることである。
【図面の簡単な説明】
【図１】従来周知の紙製弁当箱の立体図である。
【図２】図１による紙製弁当箱の断面図である。
【図３】本考案の第一実施例による分解図である。
【図４】図３による実施例の局部構造の展開図である。
【図５】図３による実施例の立体図である。
【図６】図５による実施例の断面図である。
【図７】図５による実施例の断面図である。
【図８】本考案の第二実施例による断面図である。
【図９】本考案の第三実施例による立体図である。
【符号の説明】
１０　　箱体
１１　　箱底
１２　　箱壁
１３　　収納空間
１４　　箱蓋
１５　　欠け口
１６　　受け継ぎ部
２０　　仕切り構造
２１　　仕切りリブ
２２　　連接部
３０　　副仕切りリブ
１００、２００、３００　仕切り付き紙製弁当箱
２１１　　頂面
２１２　　縦面
２１３　　支持部
【図１】
0003097316.tif 000003
【図２】
0003097316.tif 000004
【図３】
0003097316.tif 000005
【図４】
0003097316.tif 000006
【図５】
0003097316.tif 000007
【図６】
0003097316.tif 000008
【図７】
0003097316.tif 000009
【図８】
0003097316.tif 000010
【図９】
0003097316.tif 000011